(57)【要約】      （修正有）【課題】通常使用時のみならず、装着したまま飲食を楽しむことができ、利便性を高めることが可能なマスクの構造を提供する。【解決手段】中央部に開口部１６が設けられ左右の側端部に耳掛け部１７が設けられた矩形状のマスク本体１１と、マスク本体の表側に配置され開口部を覆う矩形状の表カバー部材１２を備え、表カバー部材は、マスク本体の表側に装着されるとともに、その一片を外して開口部を開口できるように構成されている。【選択図】図２
0003231062.tif 000002
【実用新案登録請求の範囲】
【請求項１】
中央部に開口部が設けられ左右の側端部に耳掛け部が設けられたマスク本体と、当該マスク本体の表側に配置され前記開口部を覆う矩形状の表カバー部材を備え、当該表カバー部材は、前記マスク本体の表側に装着されるとともに、その一片を外して前記開口部を開口できるように構成されていることを特徴とするマスクの構造。
【請求項２】
前記マスク本体が、中央部に開口部が設けられ口の周囲の頬を覆う中央部構成部材と、鼻を覆う上部構成部材と、下顎を覆う下部構成部材からなることを特徴とする、請求項１記載のマスクの構造。
【請求項３】
前記マスク本体および表カバー部材が、布部材から構成されていることを特徴とする、請求項１または請求項２記載のマスクの構造。
【請求項４】
前記マスク本体に対し、表カバー部材全体が着脱可能とされていることを特徴とする、請求項１ないし請求項３のいずれか一項に記載のマスクの構造。
【請求項５】
前記表カバー部材について、左右の側端部のうち、一方が前記マスク本体の相対する側端部の一方に取付け固定され、他方が前記マスク本体の相対する側端部の他方に着脱可能に固定されていることを特徴とする、請求項１ないし請求項４のいずれか一項に記載のマスクの構造。
【請求項６】
前記表カバー部材について、上端部が前記マスク本体の相対する上端部に取付け固定され、左右の側端部および下端部が、前記マスク本体の相対する左右の側端部および下端部に固定されていないことを特徴とする、請求項１ないし請求項４のいずれか一項に記載のマスクの構造。
【考案の詳細な説明】
【技術分野】
【０００１】
本考案は、通常使用時のみならず、飲食時における利便性を高めたマスクの構造に関するものである。
【背景技術】
【０００２】
マスクは、花粉症対策、ウイルス対策、飛沫防止対策に有用であり、近年は、多くの人が利用する公共交通機関、病院の待合室、ショッピングセンター、映画館、劇場、イベント会場などでマスクを着用する人が多く、また、来訪者、入場者にマスクの着用を求める場合も少なくない。
【０００３】
上記マスクは、飲食店などの飲食時には、会話と食事を楽しみたいという心理や、その都度着用したり外したりするのが煩わしいという心理から、着用しない人が多い。しかしながら、飲食時には、会話により飛沫が飛んだりすることから、飛沫防止対策として、飲食時にもできるだけマスクを着用することが望ましい。特にコロナウイルスの流行により、飛沫感染対策がより重要となっている。
【０００４】
上記の背景より、飛沫感染防止用のフェイスシールド（特許文献１）、フェイスシールド型のマスク（特許文献２）、マスク併用型フェイスシールド（特許文献３）などの提案がなされている。
【先行技術文献】
【特許文献】
【０００５】
【特許文献１】実用新案登録第３２２８６９５号公報
【特許文献２】実用新案登録第３２２８９４３号公報
【特許文献３】実用新案登録第３２２８４９０号公報
【考案の概要】
【考案が解決しようとする課題】
【０００６】
しかしながら、特許文献１〜特許文献３の提案は、顔全体を覆うものであり、飲食時には使用できるが、通常使用時（例えば、公共交通機関での移動時）には、使い難く、また、その形状から、飲食時であっても見た目が良くないという課題があった。
【０００７】
本考案は上記課題に鑑みてなされたもので、通常使用時のみならず、装着したまま飲食を楽しむことができ、利便性を高めることが可能なマスクの構造を提供することを目的とする。
【課題を解決するための手段】
【０００８】
上記課題を解決するために、本考案に係るマスクの構造は、
中央部に開口部が設けられ左右の側端部に耳掛け部が設けられたマスク本体と、当該マスク本体の表側に配置され前記開口部を覆う矩形状の表カバー部材を備え、当該表カバー部材は、前記マスク本体の表側に装着されるとともに、その一片を外して前記開口部を開口できるように構成されていることを主要な特徴とする。
【０００９】
本考案に係るマスクの構造は、
前記マスク本体が、中央部に開口部が設けられ口および左右の頬を覆う中央部構成部材と、鼻を覆う上部構成部材と、顎を覆う下部構成部材からなることを第２の特徴とする。
【００１０】
本考案に係るマスクの構造は、
前記マスク本体および表カバー部材が、布部材から構成されていることを第３の特徴とする。
【００１１】
本考案に係るマスクの構造は、
前記マスク本体に対し、表カバー部材全体が着脱可能とされていることを第４の特徴とする。
【００１２】
本考案に係るマスクの構造は、
前記表カバー部材について、左右の側端部のうち一方が、前記マスク本体の相対する側端部の一方に取付け固定されているとともに、左右の側端部のうち他方が、前記マスク本体の相対する側端部の他方に着脱可能に固定されていることを第５の特徴とする。
【００１３】
本考案に係るマスクの構造は、
前記表カバー部材について、上端部が、前記マスク本体の相対する上端部に取付け固定されているとともに、左右の側端部および下端部が、前記マスク本体の相対する左右の側端部および下端部に固定されていないことを第６の特徴とする。
【考案の効果】
【００１４】
以上説明したように、本考案に係るマスクを着用すると、通常の使用時には、花粉やウイルスの侵入防止、飛沫防止等の機能を発揮し、飲食時には、表カバー部材を片手で開いて、中央部の開口部から、ペットボトルやグラスを口に当てて飲み物を飲んだり、皿の上の料理を箸やスプーン等を用いて口に運ぶことができ、会話の際は表カバー部材を閉じて飛沫対策を講じることができる。
【００１５】
これにより、本考案に係るマスクを使用することにより、通常の使用はもちろんのこと、店舗、施設あるいは家庭において、飛沫対策を講じながら、飲食と会話を楽しむことができ、利便性が向上するという効果を奏する。
【図面の簡単な説明】
【００１６】
【図１】本考案に係るマスクの全体を示す斜視図、
【図２】図１のマスクにおいて、表カバー部材を開いた状態を示す斜視図、
【図３】図１のマスクを装着した状態を示す正面図、
【図４】マスクの装着状態から、表カバー部材を開いた状態を示す正面図、
【図５】本考案に係る別構造のマスクの全体を示す斜視図、
【図６】図５のマスクを装着した状態を示す正面図、
【図７】マスクの装着状態から、表カバー部材を開いた状態を示す正面図である。
【考案を実施するための最良の形態】
【００１７】
本考案を実施するための実施形態について図面を参照して説明する。図１ないし図４は本考案に係るマスクの構造の第１実施形態を示すもので、これらの図において、符号１０はマスクを示している。
【００１８】
マスク１０は、図１に示すように、マスク本体１１と表カバー部材１２を備えている。これらマスク本体１１と表カバー部材１２は、いずれも布素材からなり、本実施形態では、それぞれの表地が綿織物や絹織物などからなり、裏地にガーゼが当てられている。マスク１０の各素材は、ウレタン等の合成樹脂製であってもよい。
【００１９】
マスク本体１１は、図３に示すように口１の周囲を覆う中央部構成部材１３と、鼻２の周囲を覆う上部構成部材１４と、下顎３を覆う下部構成部材１５から構成されている。
【００２０】
中央部構成部材１３は、展開すると全体が横長の矩形状をしているとともに、中央部が山折りとなる立体形状をなし、中央部に大きな開口部１６が設けられている。また、中央部構成部材１３の左側縁部１３ａおよび右側縁部１３ｂには、紐状の耳掛け部１７が取付けられている。
【００２１】
上部構成部材１４は、鼻に当たる部分の中央部が山折りとなるとともに、全体が鼻の周囲を覆うような略三角形の立体形状をなし、上部構成部材１４の下縁部が中央部構成部材１３の上縁部と接合されている。
【００２２】
下部構成部材１５は、下顎に当たる部分の中央部が山折りとなるとともに、全体が下顎の周囲を覆うような略三角形の立体形状をなし、下部構成部材１５の上縁部が中央部構成部材１３の下縁部と接合されている。
【００２３】
表カバー部材１２は、マスク本体１１の中央部構成部材１３と略同じ大きさで、展開すると全体が横長の矩形状をしているとともに、中央部が山折りとなる立体形状をなしている。また、表カバー部材１２は、中央部構成部材１３の表側に配置され、左側縁部１２ａが、中央部構成部材１３の左側縁部１３ａに縫製等により一体に接合されている。
【００２４】
さらに、上記表カバー部材１２は、右側縁部１２ｂが、中央部構成部材１３の右側縁部１３ｂに対し、面ファスナー部材１８Ａ，１８Ｂにより、図２に示すように、着脱可能とされている。一方の面ファスナー部材１８Ａは、表カバー部材１２の右側端部１２ｂの裏面に取付けられ、他方の面ファスナー部材１８Ｂは、中央部構成部材１３の右側縁部１３ｂの表面に取付けられている。
【００２５】
これにより、面ファスナー部材１８Ａ，１８Ｂにより、表カバー部材１２の右側端部１２ｂを中央部構成部材１３の右側端部１３ｂに装着すると、図１に示すように、中央部構成部材１３の開口部１６が閉じられ、表カバー部材１２の右側端部１２ｂを中央部構成部材１３の右側端部１３ｂから外すと、図２に示すように、中央部構成部材１３の開口部１６が開口されるようになっている。
【００２６】
次に、上記のように構成されたマスク１０の作用について、以下に説明する。
【００２７】
通常の使用時、すなわち、公共交通機関の利用、病院の待合室、ショッピングセンター、映画館、劇場、イベント会場などで使用する場合は、図３に示すように、マスク本体１１の中央部の開口部１６を表カバー部材１２で覆った状態で着用する。通常のマスクとして機能し、花粉やウイルスの侵入防止、飛沫防止等の作用を発揮させることができる。
【００２８】
次に、飲食時においては、マスク１０を着用した状態で、図４に示すように、表カバー部材１２を片手で開くと、中央部の開口部１６から、もう片方の手に持ったペットボトルやグラスを口１に当てて中の飲み物を飲むことができる。また、皿の上の料理を箸やスプーン等を用いて口１に運ぶことができ、飲食を楽しむことができる。
【００２９】
飲食の途中に会話をする場合は、図３に示すように、マスク１０の表カバー部材１２を閉じることにより、その内側の中央部の開口部１６を覆い、これにより、飲食時の飛沫対策を講じることができる。
【００３０】
これらにより、本実施形態のマスク１０を使用することにより、通常の使用はもちろんのこと、店舗、施設あるいは家庭において、飛沫対策を講じながら、飲食と会話を楽しむことができる。
【００３１】
図５ないし図７は本考案に係るマスクの構造の第２実施形態を示すもので、これらの図において、符号２０はマスクを示している。
【００３２】
マスク２０は、図５に示すように、マスク本体２１と表カバー部材２２を備えている。これらマスク本体２１と表カバー部材２２は、前記第１実施形態と同様に、いずれも布素材からなり、それぞれの表地が綿織物や絹織物などからなり、裏地にガーゼが当てられている。マスク１０の各素材は、ウレタン等の合成樹脂製であってもよい。
【００３３】
マスク本体２０は、口１の周囲を覆う中央部構成部材２３と、鼻２の周囲を覆う上部構成部材２４と、下顎３を覆う下部構成部材２５から構成されている。
【００３４】
中央部構成部材２３は、展開状態で全体が横長の矩形状をしているとともに、中央部が山折りとなる立体形状をなし、中央部に比較的小さな開口部２６が設けられている。また、中央部構成部材１３の左側縁部２３ａおよび右側端部２３ｂには、紐状の耳掛け部２７が取付けられている。
【００３５】
上部構成部材２４は、鼻に当たる部分の中央部が山折りとなるとともに、全体が鼻の周囲を覆うような略三角形の立体形状をなし、上部構成部材２４の下縁部が中央部構成部材２３の上縁部に接合されている。
【００３６】
下部構成部材２５は、下顎に当たる部分の中央部が山折りとなるとともに、全体が下顎の周囲を覆うような略三角形の立体形状をなし、下部構成部材２５の上縁部が中央部構成部材２３の下縁部に接合されている。
【００３７】
表カバー部材２２は、マスク本体２１の中央部構成部材２３と略同じ大きさで、展開状態で全体が横長の矩形状をしており、中央部が山折りとなる立体形状をなしている。また、表カバー部材２２は、中央部構成部材２３の表側に配置され、上縁部２２ａが、中央部構成部材２３の上縁部２３ａに縫製等により一体に接合されている。
【００３８】
さらに、上記表カバー部材２２は、下縁部２２ｂが、中央部構成部材２３の下縁部２３ｂに対し、面ファスナー部材２８Ａ，２８Ｂにより、着脱可能とされている。一方の面ファスナー部材２８Ａは、表カバー部材２２の下端部２２ｂの両隅部の裏面にそれぞれ取付けられ、他方の面ファスナー部材１８Ｂは、中央部構成部材２３の下縁部２３ｂの両隅部の表面にそれぞれ取付けられている。
【００３９】
これにより、面ファスナー部材２８Ａ，２８Ｂにより、表カバー部材２２の下端部２２ｂを中央部構成部材２３の下端部２３ｂに装着すると、中央部構成部材２３の開口部２６が閉じられ、表カバー部材２２の下端部２２ｂを中央部構成部材２３の下端部２３ｂから外して手前に持ち上げると、中央部構成部材２３の開口部２６が開口されるようになっている。
【００４０】
次に、上記のように構成されたマスク２０の作用について、以下に説明する。
【００４１】
通常の使用時、すなわち、公共交通機関の利用、病院の待合室、ショッピングセンター、映画館、劇場、イベント会場などで使用する場合は、図６に示すように、マスク本体２１の中央部の開口部２６を表カバー部材２２で覆った状態で着用する。通常のマスクとして機能し、花粉やウイルスの侵入防止、飛沫防止等の作用を発揮させることができる。
【００４２】
次に、飲食時においては、マスク２０を着用した状態で、図７に示すように、表カバー部材２２を片手で上に開くと、中央部の開口部２６から、もう片方の手に持ったペットボトルやグラスを口に当てて中の飲み物を飲むことができる。また、皿の上の料理を箸やスプーン等を用いて口に運ぶことができ、飲食を楽しむことができる。
【００４３】
飲食の途中に会話をする場合は、図６に示すように、マスク１０の表カバー部材２２を下ろして面ファスナー部材２８Ａ，２８Ｂで閉じることにより、その下の中央部の開口部２６を覆い、これにより、飲食時の飛沫対策を講じることができる。
【００４４】
これらにより、各実施形態のマスク２０を使用することにより、第１実施形態のマスク１０と同様に、通常の使用はもちろんのこと、店舗、施設あるいは家庭において、飛沫対策を講じながら、飲食と会話を楽しむことができる。
【００４５】
本実施形態のマスク１０，２０によると、以下の効果を奏する。
【００４６】
（１）通常の使用時は、開口部１６，２６を表カバー部材１２，２２で閉じることにより、通常の機能し、花粉やウイルスの侵入防止、飛沫防止等を図ることができる。表カバー部材１２，２２はマスク本体１１，２１の中央部構成部材１３，２３と同じサイズ、形状をしているので、外観からは通常のマスクと変わらず、違和感なく使用することができる。
【００４７】
（２）飲食時においては、マスク１０，２０の着用状態で、表カバー部材１２，２２を片手で横や上に開くと、中央部の開口部１６，２６から、飲み物を口に運び、また、料理を口に運んで、飲食を楽しむことができる。飲食の合間に会話したいときは、直ちに表カバー部材１２，２２をマスク本体１１，２１に重ねて開口部１６，２６を閉じればよく、飲食中の会話を楽しむことができる。
【００４８】
上記実施形態のマスク１０は、正面視して、マスク本体１１と表カバー部材の右側に面ファスナーを取付けるようにしたが、右側を一体接合して、左側に面ファスナーを取付けるようにしてもよい。箸やスプーンの持ち手（利き手）が左手または右手のどちらにも対応させることができる。
【００４９】
各実施形態において、面ファスナーの代わりに、別の留め具、例えば金属製のスナップボタンなどを用いても良い。また、マスク本体と表カバー部材の一体接合部は、面ファスナーやボタンなどで着脱可能とし、マスク本体から表カバー部材を取り外し、別々に洗えるようにしてもよい。
【００５０】
かくして、本考案に係るマスクの構造によれば、通常の使用時のみならず、飲食時における飲食と会話の双方を楽しめる、利便性の高いマスクを、安価な費用で提供することができるようになった。
【産業上の利用可能性】
【００５１】
本考案に係るマスクの構造は、通勤時などの通常使用時、会食時、飲食時に使用できるマスクとして、幅広く利用できる。
【符号の説明】
【００５２】
１  口
２  鼻
３  下顎
１０，２０  マスク
１１，２１  マスク本体
１２，２１  表カバー部材
１２ａ，１３ａ  左側縁部（側端部）
１２ｂ，１３ｂ  右側縁部（側端部）
１３，２３  中央部構成部材
１４，２４  上部構成部材
１５，２５  下部構成部材
１６，２６  開口部
１７，２７  耳掛け部
１８Ａ，１８Ｂ，２８Ａ，２８Ｂ  面ファスナー部材
２２ａ，２３ａ  上縁部（上端部）
２２ｂ，２３ｂ  下縁部（下端部）
【図１】
0003231062.tif 000003
【図２】
0003231062.tif 000004
【図３】
0003231062.tif 000005
【図４】
0003231062.tif 000006
【図５】
0003231062.tif 000007
【図６】
0003231062.tif 000008
【図７】
0003231062.tif 000009